(57)【要約】【課題】プラズマディスプレイパネルで連続した２回の維持放電を安定して、かつ継続して発生させる。【解決手段】維持電極を第４電圧０（Ｖ）にクランプするとともに走査電極を第１電圧０（Ｖ）より高い第２電圧Ｖｓ１にクランプして１回目の維持放電を発生させた後に走査電極を第２電圧Ｖｓ１より高い第３電圧Ｖｓ２にクランプして２回目の維持放電を発生させて連続した２回の維持放電を発生させ、走査電極を第１電圧０（Ｖ）にクランプするとともに維持電極を第４電圧０（Ｖ）より高い第５電圧Ｖｓ１にクランプして１回目の維持放電を発生させた後に維持電極を第５電圧Ｖｓ１より高い第６電圧Ｖｓ２にクランプして２回目の維持放電を発生させて連続した２回の維持放電を発生させる。【選択図】図８
2012022017.tif 000002
【特許請求の範囲】
【請求項１】
走査電極と維持電極とを有するプラズマディスプレイパネルと、前記走査電極と前記維持電極とに駆動電圧波形を印加する駆動回路とを備えたプラズマディスプレイ装置であって、
前記駆動回路は、
前記走査電極を第１電圧にクランプするための第１スイッチと、前記走査電極を前記第１電圧より高い第２電圧にクランプするための第２スイッチと、前記走査電極を前記第２電圧より高い第３電圧にクランプするための第３スイッチと、前記維持電極を第４電圧にクランプするための第４スイッチと、前記維持電極を前記第４電圧より高い第５電圧にクランプするための第５スイッチと、前記維持電極を前記第５電圧より高い第６電圧にクランプするための第６スイッチとを有し、
前記維持電極を前記第４電圧にクランプするとともに、前記走査電極を前記第１電圧から前記第２電圧にクランプして１回目の維持放電を発生させた後に前記走査電極を前記第３電圧にクランプして２回目の維持放電を発生させて、連続した２回の維持放電を発生させ、
前記走査電極を前記第１電圧にクランプするとともに、前記維持電極を前記第４電圧から前記第５電圧にクランプして１回目の維持放電を発生させた後に前記維持電極を前記第６電圧にクランプして２回目の維持放電を発生させて、連続した２回の維持放電を発生させるプラズマディスプレイ装置。
【請求項２】
走査電極と維持電極とを有するプラズマディスプレイパネルと、前記走査電極と前記維持電極とに駆動電圧波形を印加する駆動回路とを備えたプラズマディスプレイ装置であって、
前記駆動回路は、
前記走査電極を第１電圧にクランプするための第１スイッチと、前記走査電極を前記第１電圧より高い第２電圧にクランプするための第２スイッチと、前記走査電極を前記第２電圧より高い第３電圧にクランプするための第３スイッチと、前記維持電極を第４電圧にクランプするための第４スイッチと、前記維持電極を前記第４電圧より高い第５電圧にクランプするための第５スイッチと、前記維持電極を前記第５電圧より高い第６電圧にクランプするための第６スイッチとを有し、
前記維持電極を前記第６電圧にクランプするとともに、前記走査電極を前記第３電圧から前記第２電圧にクランプして１回目の維持放電を発生させた後に前記走査電極を前記第１電圧にクランプして２回目の維持放電を発生させて、連続した２回の維持放電を発生させ、
前記走査電極を前記第３電圧にクランプするとともに、前記維持電極を前記第６電圧から前記第５電圧にクランプして１回目の維持放電を発生させた後に前記維持電極を前記第４電圧にクランプして２回目の維持放電を発生させて、連続した２回の維持放電を発生させるプラズマディスプレイ装置。
【請求項３】
前記第２スイッチおよび前記第５スイッチは、一方向の電流の導通・非導通を制御し、他方向の電流は常に導通であるスイッチを互いに逆方向に直列に接続した構成である請求項１または請求項２に記載のプラズマディスプレイ装置。
【請求項４】
前記第１電圧と前記第４電圧とが等しく、前記第２電圧と前記第５電圧とが等しく、前記第３電圧と前記第６電圧とが等しい請求項１または請求項２に記載のプラズマディスプレイ装置。
【発明の詳細な説明】
【技術分野】
【０００１】
本発明は、プラズマディスプレイパネルを用いたプラズマディスプレイ装置に関する。
【背景技術】
【０００２】
表示デバイスとして代表的なプラズマディスプレイパネル（以下、「パネル」と略記する）は、１対の走査電極と維持電極とからなる表示電極対が複数形成された前面基板と、複数のデータ電極が形成された背面基板とを対向配置し、その間に多数の放電セルが形成されている。そして放電セル内のガス放電により紫外線を発生させ、この紫外線で赤色、緑色および青色の各色の蛍光体を励起発光させてカラー表示を行う。
【０００３】
パネルを駆動する方法としては、１フィールド期間を複数のサブフィールドに分割し、発光させるサブフィールドの組み合わせによって階調を表示するサブフィールド法が一般的である。各サブフィールドは、初期化期間、書込み期間および維持期間を有する。初期化期間では初期化放電を発生し、続く書込み動作に必要な壁電荷を各電極上に形成する。書込み期間では、放電セルで選択的に書込み放電を発生し壁電荷を形成する。そして維持期間では、走査電極と維持電極とからなる表示電極対に交互に維持パルスを印加し、書込み放電を起こした放電セルで維持放電を発生させ、対応する放電セルの蛍光体層を発光させることにより画像を表示する。
【０００４】
このようなパネルを用いたプラズマディスプレイ装置は、蛍光灯等の放電を用いた照明機器と比較すると発光効率が低いという課題があった。そのためパネルの材料、構造、駆動方法等、様々な観点から発光効率を向上させる検討がなされてきた。例えば特許文献１には、連続した２回の維持放電を発生させることにより発光効率を改善するパネルの駆動方法が開示されている。
【先行技術文献】
【特許文献】
【０００５】
【特許文献１】特開２００９−２９４４０８号公報
【発明の概要】
【発明が解決しようとする課題】
【０００６】
しかしながら、特許文献１に開示された駆動方法によれば、連続した２回の維持放電を安定して発生させることが難しく、連続した２回の維持放電だけを維持期間にわたって継続して発生させることが難しかった。特に表示画像に依存して変化する放電セルの点灯率（維持放電を発生して発光させる放電セルの割合）の変化や、パネルの環境温度および経時変化に伴う放電セルの放電特性の変化を考慮した駆動マージンが狭く、駆動条件を設定することが困難であった。
【０００７】
本発明はこれらの課題に鑑みなされたものであり、連続した２回の維持放電を安定して、かつ継続して発生させることができるプラズマディスプレイ装置を提供することを目的とする。
【課題を解決するための手段】
【０００８】
上記目的を達成するために本発明は、走査電極と維持電極とを有するパネルと、走査電極と維持電極とに駆動電圧波形を印加する駆動回路とを備えたプラズマディスプレイ装置であって、駆動回路は、走査電極を第１電圧にクランプするための第１スイッチと、走査電極を第１電圧より高い第２電圧にクランプするための第２スイッチと、走査電極を第２電圧より高い第３電圧にクランプするための第３スイッチと、維持電極を第４電圧にクランプするための第４スイッチと、維持電極を第４電圧より高い第５電圧にクランプするための第５スイッチと、維持電極を第５電圧より高い第６電圧にクランプするための第６スイッチとを有し、維持電極を第４電圧にクランプするとともに走査電極を第１電圧から第２電圧にクランプして１回目の維持放電を発生させた後に走査電極を第３電圧にクランプして２回目の維持放電を発生させて連続した２回の維持放電を発生させ、走査電極を第１電圧にクランプするとともに維持電極を第４電圧から第５電圧にクランプして１回目の維持放電を発生させた後に維持電極を第６電圧にクランプして２回目の維持放電を発生させて連続した２回の維持放電を発生させる。この構成により、連続した２回の維持放電を安定して、かつ継続して発生させることができるプラズマディスプレイ装置を提供することができる。
【０００９】
また本発明は、走査電極と維持電極とを有するパネルと、走査電極と維持電極とに駆動電圧波形を印加する駆動回路とを備えたプラズマディスプレイ装置であって、駆動回路は、走査電極を第１電圧にクランプするための第１スイッチと、走査電極を第１電圧より高い第２電圧にクランプするための第２スイッチと、走査電極を第２電圧より高い第３電圧にクランプするための第３スイッチと、維持電極を第４電圧にクランプするための第４スイッチと、維持電極を第４電圧より高い第５電圧にクランプするための第５スイッチと、維持電極を第５電圧より高い第６電圧にクランプするための第６スイッチとを有し、維持電極を第６電圧にクランプするとともに走査電極を第３電圧から第２電圧にクランプして１回目の維持放電を発生させた後に走査電極を第１電圧にクランプして２回目の維持放電を発生させて連続した２回の維持放電を発生させ、走査電極を第３電圧にクランプするとともに維持電極を第６電圧から第５電圧にクランプして１回目の維持放電を発生させた後に維持電極を第４電圧にクランプして２回目の維持放電を発生させて連続した２回の維持放電を発生させる。この構成によっても、連続した２回の維持放電を安定して、かつ継続して発生させることができるプラズマディスプレイ装置を提供することができる。
【００１０】
また本発明のプラズマディスプレイ装置の第２スイッチおよび第５スイッチは、一方向の電流の導通・非導通を制御し、他方向の電流は常に導通であるスイッチを互いに逆方向に直列に接続した構成であることが望ましい。
【００１１】
また本発明のプラズマディスプレイ装置の第１電圧と第４電圧とが等しく、第２電圧と第５電圧とが等しく、第３電圧と第６電圧とが等しくてもよい。
【発明の効果】
【００１２】
本発明によれば、連続した２回の維持放電を安定して、かつ継続して発生させることができるプラズマディスプレイ装置を提供することが可能となる。
【図面の簡単な説明】
【００１３】
【図１】本発明の実施の形態１におけるプラズマディスプレイ装置のパネルの分解斜視図である。
【図２】同プラズマディスプレイ装置のパネルの電極配列図である。
【図３】同プラズマディスプレイ装置の回路ブロック図である。
【図４】同プラズマディスプレイ装置の走査電極駆動回路の回路ブロック図である。
【図５】同プラズマディスプレイ装置の維持電極駆動回路の回路ブロック図である。
【図６】同プラズマディスプレイ装置の駆動電圧波形図である。
【図７】同プラズマディスプレイ装置の維持期間における動作を説明するための回路ブロック図である。
【図８】同プラズマディスプレイ装置の維持パルスの詳細を示す図である。
【図９】同プラズマディスプレイ装置の１回目の維持放電を発生させる電圧を設定する方法を説明するための図である。
【図１０】本発明の実施の形態２におけるプラズマディスプレイ装置の維持パルスの詳細を示す図である。
【発明を実施するための形態】
【００１４】
以下、本発明の実施の形態におけるプラズマディスプレイ装置について、図面を用いて説明する。
【００１５】
（実施の形態１）
図１は、本発明の実施の形態１におけるプラズマディスプレイ装置のパネル１０の分解斜視図である。ガラス製の前面基板１１上には、走査電極１２と維持電極１３とからなる表示電極対１４が複数形成されている。そして走査電極１２と維持電極１３とを覆うように誘電体層１５が形成され、その誘電体層１５上に保護層１６が形成されている。背面基板２１上にはデータ電極２２が複数形成され、データ電極２２を覆うように誘電体層２３が形成され、さらにその上に井桁状の隔壁２４が形成されている。そして、隔壁２４の側面および誘電体層２３上には赤色、緑色および青色の各色に発光する蛍光体層２５が設けられている。
【００１６】
これら前面基板１１と背面基板２１とは、微小な放電空間を挟んで表示電極対１４とデータ電極２２とが交差するように対向配置され、その外周部をガラスフリット等の封着材によって封着されている。そして放電空間には、例えばネオンとキセノンの混合ガスが放電ガスとして封入されている。本実施の形態においては、輝度向上のためにキセノン分圧を１０％とした放電ガスが用いられている。放電空間は隔壁２４によって複数の区画に仕切られており、表示電極対１４とデータ電極２２とが交差する部分に放電セルが形成されている。そしてこれらの放電セルが放電、発光することにより画像が表示される。
【００１７】
なお、パネル１０の構造は上述したものに限られるわけではなく、例えばストライプ状の隔壁を備えたものであってもよい。
【００１８】
図２は、本発明の実施の形態１におけるプラズマディスプレイ装置のパネル１０の電極配列図である。パネル１０には、行方向に長いｎ本の走査電極ＳＣ１〜ＳＣｎ（図１の走査電極１２）およびｎ本の維持電極ＳＵ１〜ＳＵｎ（図１の維持電極１３）が配列され、列方向に長いｍ本のデータ電極Ｄ１〜Ｄｍ（図１のデータ電極２２）が配列されている。そして、１対の走査電極ＳＣｉ（ｉ＝１〜ｎ）および維持電極ＳＵｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。なお、図１、図２に示したように、走査電極ＳＣｉと維持電極ＳＵｉとは互いに平行に対をなして形成されているために、走査電極ＳＣ１〜ＳＣｎと維持電極ＳＵ１〜ＳＵｎとの間に大きな電極間容量Ｃｐが存在する。
【００１９】
図３は、本発明の実施の形態１におけるプラズマディスプレイ装置３０の回路ブロック図である。プラズマディスプレイ装置３０は、走査電極ＳＣ１〜ＳＣｎと維持電極ＳＵ１〜ＳＵｎとを有するパネル１０と、走査電極ＳＣ１〜ＳＣｎと維持電極ＳＵ１〜ＳＵｎとに駆動電圧波形を印加する駆動回路とを備える。駆動回路は、画像信号処理回路３１、データ電極駆動回路３２、走査電極駆動回路３３、維持電極駆動回路３４、タイミング発生回路３５および各回路ブロックに必要な電源を供給する電源回路（図示せず）を備えている。
【００２０】
画像信号処理回路３１は、入力された画像信号をサブフィールド毎の発光・非発光を示す画像データに変換する。データ電極駆動回路３２は、画像データを書込みパルスに変換し、データ電極Ｄ１〜Ｄｍのそれぞれに印加する。
【００２１】
タイミング発生回路３５は、水平同期信号、垂直同期信号等の同期信号をもとにして各回路ブロックの動作を制御する各種のタイミング信号を発生し、それぞれの回路ブロックへ供給する。走査電極駆動回路３３はタイミング信号にもとづいて走査電極ＳＣ１〜ＳＣｎのそれぞれに駆動電圧波形を印加し、維持電極駆動回路３４もタイミング信号にもとづいて維持電極ＳＵ１〜ＳＵｎに駆動電圧波形を印加する。
【００２２】
図４は、本発明の実施の形態１におけるプラズマディスプレイ装置３０の走査電極駆動回路３３の回路ブロック図である。走査電極駆動回路３３は、走査側維持パルス発生部５０と、ランプ電圧発生部６０と、走査パルス発生部７０とを有する。
【００２３】
走査側維持パルス発生部５０は、走査側電力回収部５１と走査側電圧クランプ部５３とを備えている。走査側電力回収部５１は、スイッチング素子Ｑ５１、Ｑ５２、逆流防止用のダイオードＤ５１、Ｄ５２、共振用のインダクタＬ５１、電力回収用のコンデンサＣ５１を有する。走査側電圧クランプ部５３は、走査電極ＳＣ１〜ＳＣｎを第１電圧にクランプするための第１スイッチと、第１電圧より高い第２電圧にクランプするための第２スイッチと、第２電圧より高い第３電圧にクランプするための第３スイッチとを有する。本実施の形態においては、第１電圧は電圧０（Ｖ）であり、第１スイッチはスイッチング素子Ｑ５３である。また第２電圧は電圧Ｖｓ１であり、第２スイッチはスイッチング素子Ｑ５４およびスイッチング素子Ｑ５５で構成されている。また第３電圧は電圧Ｖｓ２であり、第３スイッチはスイッチング素子Ｑ５６である。そして走査パルス発生部７０の基準電位となる節点Ｐ７０に走査側維持パルスを出力する。
【００２４】
なお以下では、走査側維持パルス発生部５０、走査側電力回収部５１、走査側電圧クランプ部５３をそれぞれ単に「維持パルス発生部５０」、「電力回収部５１」、「電圧クランプ部５３」と略称する。また走査側維持パルスを単に「維持パルス」と略称する。
【００２５】
ランプ電圧発生部６０はミラー積分回路６１と、ミラー積分回路６２とを有する。ミラー積分回路６１は正の電圧Ｖｒまで上昇する上りランプ電圧を発生し節点Ｐ７０に出力する。ミラー積分回路６２は負の電圧Ｖｉまで低下する下りランプ電圧を発生し節点Ｐ７０に出力する。なおスイッチング素子Ｑ６８およびスイッチング素子Ｑ６９は分離スイッチであり、走査電極駆動回路３３を構成するトランジスタの寄生ダイオードを介して電流が逆流するのを防止するために設けている。
【００２６】
走査パルス発生部７０は、走査パルス発生部７０の基準電位に重畳された正の電圧Ｖｑの電源Ｅ７０と、電源Ｅ７０の高電圧側の電圧を走査電極ＳＣ１〜ＳＣｎに印加するスイッチング素子Ｑ７Ｈ１〜Ｑ７Ｈｎと、電源Ｅ７０の低電圧側の電圧を走査電極ＳＣ１〜ＳＣｎに印加するスイッチング素子Ｑ７Ｌ１〜Ｑ７Ｌｎと、基準電位を負の電圧Ｖａに設定するスイッチング素子Ｑ７２とを有する。そして、走査パルスを各走査電極ＳＣ１〜ＳＣｎに印加する。
【００２７】
図５は、本発明の実施の形態１におけるプラズマディスプレイ装置３０の維持電極駆動回路３４の回路ブロック図である。維持電極駆動回路３４は、維持側維持パルス発生部８０と電圧印加部９０とを有する。
【００２８】
維持側維持パルス発生部８０は、維持側電力回収部８１と維持側電圧クランプ部８３とを備えている。維持側電力回収部８１は、スイッチング素子Ｑ８１、Ｑ８２、逆流防止用のダイオードＤ８１、Ｄ８２、共振用のインダクタＬ８１、電力回収用のコンデンサＣ８１を有する。維持側電圧クランプ部８３は、維持電極ＳＵ１〜ＳＵｎを第４電圧にクランプするための第４スイッチと、第４電圧より高い第５電圧にクランプするための第５スイッチと、第５電圧より高い第６電圧にクランプするための第６スイッチとを有する。本実施の形態においては、第４電圧は電圧０（Ｖ）であり、第４スイッチはスイッチング素子Ｑ８３である。また第５電圧は電圧Ｖｓ１であり、第５スイッチはスイッチング素子Ｑ８４およびスイッチング素子Ｑ８５で構成されている。また第６電圧は電圧Ｖｓ２であり、第６スイッチはスイッチング素子Ｑ８６である。そして維持電極ＳＵ１〜ＳＵｎに維持側維持パルスを出力する。
【００２９】
なお以下でも、維持側維持パルス発生部８０、維持側電力回収部８１、維持側電圧クランプ部８３をそれぞれ単に「維持パルス発生部８０」、「電力回収部８１」、「電圧クランプ部８３」と略称する。また維持側維持パルスを単に「維持パルス」と略称する。
【００３０】
電圧印加部９０は、維持電極ＳＵ１〜ＳＵｎに正の電圧Ｖｅを出力するスイッチング素子Ｑ９１とスイッチング素子Ｑ９２とを有する。
【００３１】
なお本実施の形態においては、走査電極駆動回路３３および維持電極駆動回路３４のスイッチング素子としてＭＯＳＦＥＴを用いた回路構成例を示した。しかし他のスイッチング素子、例えばＩＧＢＴ等のスイッチング素子を用いて構成してもよい。
【００３２】
ただしこのとき注意すべきは第２スイッチおよび第５スイッチの構成方法である。第２スイッチおよび第５スイッチは、一方向の電流の導通・非導通を制御し、他方向の電流は常に導通であるスイッチを互いに逆方向に直列に接続して構成することが望ましい。ＭＯＳＦＥＴ自体は、一方向の電流の導通・非導通を制御し、他方向の電流は常に導通であるスイッチスイッチング素子であるため、２つのＭＯＳＦＥＴを互いに逆方向に直列に接続することで第２スイッチおよび第５スイッチを構成することができる。しかしＩＧＢＴを用いて第２スイッチおよび第５スイッチを構成する場合には、逆方向に電流を流すためのダイオードをＩＧＢＴに並列に接続する必要がある。
【００３３】
次に、パネル１０を駆動するための駆動方法について説明する。パネル１０はサブフィールド法、すなわち１フィールド期間を複数のサブフィールドに分割し、サブフィールド毎に各放電セルの発光・非発光を制御することによって階調表示を行う。それぞれのサブフィールドは初期化期間、書込み期間および維持期間を有する。
【００３４】
初期化期間では初期化放電を発生し、続く書込み放電に必要な壁電荷を各電極上に形成する。このときの初期化動作には、全ての放電セルで強制的に初期化放電を発生させる強制初期化動作と、維持放電を発生した放電セルで初期化放電を発生させる選択初期化動作とがある。書込み期間では、走査電極ＳＣ１〜ＳＣｎに走査パルスを印加するとともにデータ電極Ｄ１〜Ｄｍに選択的に書込みパルスを印加して、発光させるべき放電セルで選択的に書込み放電を発生し壁電荷を形成する。維持期間では、輝度重みに応じた数の維持パルスを走査電極ＳＣ１〜ＳＣｎおよび維持電極ＳＵ１〜ＳＵｎに印加して、書込み放電を発生した放電セルで維持放電を発生させて発光させる。
【００３５】
本実施の形態においては、１フィールドを１０のサブフィールド（ＳＦ１、ＳＦ２、・・・、ＳＦ１０）に分割し、各サブフィールドはそれぞれ、例えば（１、２、３、６、１１、１８、３０、４４、６０、８０）の輝度重みを持つものとする。またサブフィールドＳＦ１は強制初期化動作を行うサブフィールド、それ以降のサブフィールドＳＦ２〜ＳＦ１０は選択初期化動作を行うサブフィールドとする。しかし、本発明は、サブフィールド数や各サブフィールドの輝度重みが上記の値に限定されるものではなく、また、画像信号等にもとづいてサブフィールド構成を切換えてもよい。
【００３６】
図６は、本発明の実施の形態１におけるプラズマディスプレイ装置３０の駆動電圧波形図であり、各サブフィールドにおいてパネルの各電極に印加する駆動電圧波形を示している。
【００３７】
サブフィールドＳＦ１の初期化期間の前半では、データ電極Ｄ１〜Ｄｍに電圧０（Ｖ）を印加し、維持電極ＳＵ１〜ＳＵｎにはスイッチング素子Ｑ８３をオンにして電圧０（Ｖ）を印加する。そして走査電極駆動回路３３のスイッチング素子Ｑ５３をオン、スイッチング素子Ｑ６８およびスイッチング素子Ｑ６９をオンにして節点Ｐ７０の電位を電圧０（Ｖ）とし、スイッチング素子Ｑ７Ｈ１〜Ｑ７Ｈｎをオンにして走査電極ＳＣ１〜ＳＣｎに電圧Ｖｑを印加する。次にスイッチング素子Ｑ５３をオフにするとともにランプ電圧発生部６０のミラー積分回路６１を動作させる。すると節点Ｐ７０の電位は電圧Ｖｒに向かって緩やかに上昇する。こうして電圧（Ｖｑ＋Ｖｒ）に向かって緩やかに上昇するランプ電圧を走査電極ＳＣ１〜ＳＣｎに印加する。このランプ電圧が上昇する間に、走査電極ＳＣ１〜ＳＣｎと維持電極ＳＵ１〜ＳＵｎおよびデータ電極Ｄ１〜Ｄｍとの間でそれぞれ微弱な初期化放電が起こり、走査電極ＳＣ１〜ＳＣｎ上に負の壁電圧が蓄積されるとともに、データ電極Ｄ１〜Ｄｍ上および維持電極ＳＵ１〜ＳＵｎ上には正の壁電圧が蓄積される。ここで、電極上の壁電圧とは電極を覆う誘電体層上、保護層上、蛍光体層上等に蓄積された壁電荷により生じる電圧を表す。
【００３８】
初期化期間の後半では、維持電極駆動回路３４のスイッチング素子Ｑ８３をオフ、スイッチング素子Ｑ９１およびスイッチング素子Ｑ９２をオンにして維持電極ＳＵ１〜ＳＵｎに電圧Ｖｅを印加する。そして走査電極駆動回路３３のミラー積分回路６１をオフに、スイッチング素子Ｑ５６をオンにし、さらにスイッチング素子Ｑ７Ｈ１〜Ｑ７Ｈｎをオフ、Ｑ７Ｌ１〜Ｑ７Ｌｎをオンにして走査電極ＳＣ１〜ＳＣｎに電圧Ｖｓ２を印加する。
【００３９】
その後、スイッチング素子Ｑ５６をオフ、スイッチング素子Ｑ６８およびスイッチング素子Ｑ６９をオフにするとともにランプ電圧発生部６０のミラー積分回路６２を動作させる。すると節点Ｐ７０の電位は電圧Ｖｉに向かって緩やかに下降する。こうして電圧Ｖｉに向かって緩やかに下降するランプ電圧を走査電極ＳＣ１〜ＳＣｎに印加する。するとこの間に再び微弱な初期化放電が起こり、走査電極ＳＣ１〜ＳＣｎ上の負の壁電圧および維持電極ＳＵ１〜ＳＵｎ上の正の壁電圧が弱められ、データ電極Ｄ１〜Ｄｍ上の正の壁電圧は書込み動作に適した値に調整される。
【００４０】
このように、サブフィールドＳＦ１の初期化期間では、全ての放電セルで強制的に初期化放電を発生させる強制初期化動作を行う。
【００４１】
サブフィールドＳＦ１の書込み期間では、維持電極ＳＵ１〜ＳＵｎに引き続き電圧Ｖｅを印加する。そして走査電極駆動回路３３のスイッチング素子Ｑ７２をオンにして節点Ｐ７０の電位を負の電圧Ｖａとするとともにスイッチング素子Ｑ７Ｌ１〜Ｑ７Ｌｎをオフ、スイッチング素子Ｑ７Ｈ１〜Ｑ７Ｈｎをオンにすることにより、走査電極ＳＣ１〜ＳＣｎに電圧（Ｖａ＋Ｖｑ）を印加する。
【００４２】
次に、走査電極駆動回路３３のスイッチング素子Ｑ７Ｈ１をオフにしスイッチング素子Ｑ７Ｌ１をオンにすることにより、１行目の走査電極ＳＣ１に負の電圧Ｖａの走査パルスを印加する。そして、データ電極Ｄ１〜Ｄｍのうち１行目に発光させるべき放電セルのデータ電極Ｄｋ（ｋ＝１〜ｍ）に電圧Ｖｄの書込みパルスを印加する。すると１行目の放電セルのうち書込みパルスを印加した放電セルでは書込み放電が起こる。そして走査電極ＳＣ１上に正の壁電圧が蓄積され、維持電極ＳＵ１上に負の壁電圧が蓄積され、データ電極Ｄｋ上にも負の壁電圧が蓄積される書込み動作が行われる。一方、書込みパルスを印加しなかった放電セルでは書込み放電は発生しない。このようにして選択的に書込み動作を行う。その後、スイッチング素子Ｑ７Ｌ１をオフ、スイッチング素子Ｑ７Ｈ１をオンに戻す。
【００４３】
次に、スイッチング素子Ｑ７Ｈ２をオフにしスイッチング素子Ｑ７Ｌ２をオンにして２行目の走査電極ＳＣ２に走査パルスを印加するとともに、データ電極Ｄ１〜Ｄｍのうち２行目に発光させるべき放電セルのデータ電極Ｄｋに書込みパルスを印加する。すると２行目の放電セルで選択的に書込み放電が起こる。以上の書込み動作をｎ行目の放電セルに至るまで行う。
【００４４】
その後、走査電極駆動回路３３のスイッチング素子Ｑ７Ｈ１〜Ｑ７Ｈｎをオフ、スイッチング素子Ｑ７２をオフ、スイッチング素子Ｑ５３をオン、スイッチング素子Ｑ６８およびスイッチング素子Ｑ６９をオン、スイッチング素子Ｑ７Ｌ１〜Ｑ７Ｌｎをオンにして、走査電極ＳＣ１〜ＳＣｎに電圧０（Ｖ）を印加する。
【００４５】
サブフィールドＳＦ１の維持期間では、詳細については後述するが、維持電極ＳＵ１〜ＳＵｎに第４電圧である電圧０（Ｖ）を印加するとともに、走査電極ＳＣ１〜ＳＣｎに第２電圧である電圧Ｖｓ１を印加した後、第３電圧である電圧Ｖｓ２を印加する。ここで電圧Ｖｓ２は電圧Ｖｓ１よりも高い電圧である。このようにして走査電極ＳＣ１〜ＳＣｎに、まず電圧Ｖｓ１、次に電圧Ｖｓ２と変化する階段状の維持パルスを印加する。すると書込み期間において書込み放電を起こした放電セルで連続した２回の維持放電が発生する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。
【００４６】
次に、走査電極ＳＣ１〜ＳＣｎに第１電圧である電圧０（Ｖ）を印加するとともに、維持電極ＳＵ１〜ＳＵｎに第５電圧である電圧Ｖｓ１を印加した後、第６電圧である電圧Ｖｓ２を印加する。このようにして維持電極ＳＵ１〜ＳＵｎに、まず電圧Ｖｓ１、次に電圧Ｖｓ２と変化する階段状の維持パルスを印加する。すると書込み期間において書込み放電を起こした放電セルで連続した２回の維持放電が再び発生する。そして維持電極ＳＵｉ上に負の壁電圧が蓄積され、走査電極ＳＣｉ上に正の壁電圧が蓄積される。
【００４７】
以下同様に、電圧Ｖｓ１と第２電圧Ｖｓ２とを有する階段状の維持パルスを走査電極ＳＣ１〜ＳＣｎと維持電極ＳＵ１〜ＳＵｎとに交互に印加する。これにより、書込み期間において書込み放電を起こした放電セルで、連続した２回の維持放電を継続して発生させる。ここでそれぞれの電極に印加される維持パルスの数は輝度重みに応じて設定される。
【００４８】
そして維持期間の最後には、走査電極駆動回路３３の維持パルス発生部５０のすべてのスイッチング素子をオフにし、ランプ電圧発生部６０のミラー積分回路６１を動作させて、電圧Ｖｒに向かって緩やかに上昇するランプ電圧を走査電極ＳＣ１〜ＳＣｎに印加する。するとこの間に、維持放電を発生した走査電極ＳＣｉと維持電極ＳＵｉとの間で微弱な消去放電が起こり、データ電極Ｄｋ上の正の壁電圧を残したまま、走査電極ＳＣｉ上および維持電極ＳＵｉ上の壁電圧を弱める。こうして、維持放電を継続して発生させるための壁電荷を消去する消去動作を行う。以上により、維持期間における維持動作が終了する。
【００４９】
続くサブフィールドＳＦ２の初期化期間では、維持電極駆動回路３４のスイッチング素子Ｑ８３をオフ、スイッチング素子Ｑ９１およびスイッチング素子Ｑ９２をオンにして維持電極ＳＵ１〜ＳＵｎに電圧Ｖｅを印加する。そして、走査電極駆動回路３３のスイッチング素子Ｑ５３をオン、スイッチング素子Ｑ７Ｌ１〜Ｑ７Ｌｎをオンにして走査電極ＳＣ１〜ＳＣｎに電圧０（Ｖ）を印加する。その後、スイッチング素子Ｑ５３、Ｑ６８、Ｑ６９をオフにするとともにミラー積分回路６２を動作させる。すると節点Ｐ７０の電位は電圧Ｖｉに向かって緩やかに下降する。こうして電圧Ｖｉに向かって緩やかに下降するランプ電圧を走査電極ＳＣ１〜ＳＣｎに印加する。すると、サブフィールドＳＦ１の維持期間において維持放電を行った放電セルで初期化放電が発生する。このように、サブフィールドＳＦ２の初期化期間は、維持放電を行った放電セルで初期化放電を発生させる選択初期化動作を行う。
【００５０】
続く書込み期間、維持期間はサブフィールドＳＦ１の書込み期間、維持期間と維持パルス数を除いて同様であるため説明を省略する。またそれ以降のサブフィールドＳＦ３〜ＳＦ１０についても維持パルス数を除いてサブフィールドＳＦ２の動作と同様である。
【００５１】
次に、本発明の主題である維持期間におけるパネル１０の駆動方法の詳細について説明する。
【００５２】
図７は、本発明の実施の形態１におけるプラズマディスプレイ装置３０の維持期間における動作を説明するための回路ブロック図である。図７には、走査電極ＳＣ１〜ＳＣｎと維持電極ＳＵ１〜ＳＵｎとの間の電極間容量Ｃｐと、維持パルス発生部５０と、維持パルス発生部８０とを示し、他の回路ブロックは省略している。
【００５３】
維持パルス発生部５０は、上述したように電力回収部５１と電圧クランプ部５３とを備え、走査パルス発生部７０（維持期間中は短絡状態となる）を介して電極間容量Ｃｐの一端である走査電極ＳＣ１〜ＳＣｎに接続されている。
【００５４】
なお、電力回収部５１のコンデンサＣ５１は電極間容量Ｃｐに比べて十分に大きい容量を持ち、電圧Ｖｓ２と電圧０（Ｖ）の中間の電位、すなわち電圧（Ｖｓ２／２）に充電されており、電力回収部５１の電源として働く。
【００５５】
電力回収部５１は、電極間容量ＣｐとインダクタＬ５１とを共振させて維持パルスの立ち上がりまたは立ち下がりを行う。維持パルスの立ち上がり時には、コンデンサＣ５１からスイッチング素子Ｑ５１、ダイオードＤ５１およびインダクタＬ５１を介して電流を流し走査電極ＳＣ１〜ＳＣｎに電荷を移動する。維持パルスの立ち下がり時には、走査電極ＳＣ１〜ＳＣｎに蓄えられた電荷を、インダクタＬ５１、ダイオードＤ５２およびスイッチング素子Ｑ５２を介してコンデンサＣ５１に戻す。このように、電力回収部５１は電源から電力を供給されることなく走査電極ＳＣ１〜ＳＣｎの駆動を行うため、理想的には消費電力が「０」となる。
【００５６】
電圧クランプ部５３は上述したように、走査電極ＳＣ１〜ＳＣｎを第１電圧にクランプするための第１スイッチと、第１電圧より高い第２電圧にクランプするための第２スイッチと、第２電圧より高い第３電圧にクランプするための第３スイッチとを有する。ここで第１電圧は電圧０（Ｖ）、第２電圧は電圧Ｖｓ１、第３電圧は電圧Ｖｓ２である。また第１スイッチはスイッチング素子Ｑ５３であり、第２スイッチはスイッチング素子Ｑ５４およびスイッチング素子Ｑ５５であり、第３スイッチはスイッチング素子Ｑ５６である。そして走査パルス発生部７０の基準電位となる節点Ｐ７０に維持パルスを出力する。
【００５７】
このように電圧クランプ部５３は、スイッチング素子Ｑ５３を介して走査電極ＳＣ１〜ＳＣｎを電圧０（Ｖ）にクランプし、スイッチング素子Ｑ５４およびスイッチング素子Ｑ５５を介して電圧Ｖｓ１にクランプし、スイッチング素子Ｑ５６を介して電圧Ｖｓ２にクランプする。このようにして電圧クランプ部５３は走査電極ＳＣ１〜ＳＣｎの電圧を電圧０（Ｖ）、電圧Ｖｓ１または電圧Ｖｓ２にクランプする。したがって、電圧クランプ部５３による電圧印加時のインピーダンスは小さく、強い維持放電による大きな放電電流を安定して流すことができる。また点灯率に依存することなく安定した電圧を走査電極ＳＣ１〜ＳＣｎに印加することができる。
【００５８】
こうして維持パルス発生部５０は、スイッチング素子Ｑ５１〜Ｑ５６を制御することによって電力回収部５１と電圧クランプ部５３とを用いて走査電極ＳＣ１〜ＳＣｎに維持パルスを印加する。
【００５９】
維持パルス発生部８０は、上述したように電力回収部８１と電圧クランプ部８３とを備え、電極間容量Ｃｐの他端である維持電極ＳＵ１〜ＳＵｎに接続されている。
【００６０】
電力回収部８１は、電極間容量ＣｐとインダクタＬ８１とを共振させて維持パルスの立ち上がりまたは立ち下がりを行う。なお、電力回収部８１のコンデンサＣ８１も電極間容量Ｃｐに比べて十分に大きい容量を持ち、電圧Ｖｓ２と電圧０（Ｖ）の中間の電位、すなわち電圧（Ｖｓ２／２）に充電されており、電力回収部８１の電源として働く。
【００６１】
電圧クランプ部８３は上述したように、維持電極ＳＵ１〜ＳＵｎを第４電圧にクランプするための第４スイッチと、第４電圧より高い第５電圧にクランプするための第５スイッチと、第５電圧より高い第６電圧にクランプするための第６スイッチとを有する。ここで第４電圧は電圧０（Ｖ）、第５電圧は電圧Ｖｓ１、第６電圧は電圧Ｖｓ２である。また第４スイッチはスイッチング素子Ｑ８３であり、第５スイッチはスイッチング素子Ｑ８４およびスイッチング素子Ｑ８５であり、第６スイッチはスイッチング素子Ｑ８６である。そして維持電極ＳＵ１〜ＳＵｎに維持パルスを出力する。
【００６２】
このようにして電圧クランプ部８３は維持電極ＳＵ１〜ＳＵｎの電圧を電圧０（Ｖ）、電圧Ｖｓ１または電圧Ｖｓ２にクランプする。したがって、電圧クランプ部８３による電圧印加時のインピーダンスは小さく、強い維持放電による大きな放電電流を安定して流すことができる。また点灯率に依存することなく安定した電圧を走査電極ＳＣ１〜ＳＣｎに印加することができる。
【００６３】
図８は、本発明の実施の形態１におけるプラズマディスプレイ装置３０の維持パルスの詳細を示す図であり、このときの放電発光も示している。
【００６４】
ここでは、維持パルスの繰り返し周期（以下、「維持周期」と略記する）の１周期分をＴ１１〜Ｔ１８で示した８つの期間に分割し、それぞれの期間について説明する。
【００６５】
（期間Ｔ１１）
時刻ｔ１１で維持電極駆動回路３４の電力回収部８１のスイッチング素子Ｑ８２をオンにする。すると、電圧Ｖｓ２の維持電極ＳＵ１〜ＳＵｎからインダクタＬ８１、ダイオードＤ８２、スイッチング素子Ｑ８２を通してコンデンサＣ８１へ電流が流れ始め、維持電極ＳＵ１〜ＳＵｎの電圧が下がり始める。そしてインダクタＬ８１と電極間容量Ｃｐとの共振周期の１／２の後には維持電極ＳＵ１〜ＳＵｎの電圧はほぼ電圧０（Ｖ）まで低下する。
【００６６】
（期間Ｔ１２）
時刻ｔ１２で走査電極駆動回路３３の電力回収部５１のスイッチング素子Ｑ５１をオンにする。すると、コンデンサＣ５１からスイッチング素子Ｑ５１、ダイオードＤ５１、インダクタＬ５１を通して走査電極ＳＣ１〜ＳＣｎへ電流が流れ始め、走査電極ＳＣ１〜ＳＣｎの電圧が上がり始める。
【００６７】
（期間Ｔ１３）
インダクタＬ５１と電極間容量Ｃｐとの共振周期の１／２の後には走査電極ＳＣ１〜ＳＣｎの電圧はほぼ電圧Ｖｓ２まで上昇する。しかし本実施の形態においては、共振周期の１／２以前に走査電極ＳＣ１〜ＳＣｎの電圧が電圧Ｖｓ１まで上昇した時刻ｔ１３において、電圧クランプ部５３のスイッチング素子Ｑ５４およびスイッチング素子Ｑ５５をオンにする。すると、走査電極ＳＣ１〜ＳＣｎの電圧は電圧Ｖｓ１にクランプされる。
【００６８】
走査電極ＳＣ１〜ＳＣｎが電圧Ｖｓ１にクランプされると、書込み放電を起こした放電セルでは１回目の維持放電が発生する。そして走査電極ＳＣｉ上および維持電極ＳＵｉ上の壁電圧の再配置が始まる。その後スイッチング素子Ｑ５５のみをオフにする。
【００６９】
（期間Ｔ１４）
１回目の維持放電が収束しはじめた時刻ｔ１４で電圧クランプ部５３のスイッチング素子Ｑ５６をオンにする。すると走査電極ＳＣ１〜ＳＣｎの電圧は電圧Ｖｓ２にクランプされる。すると、１回目の維持放電が発生した放電セルでは２回目の維持放電が発生する。そして走査電極ＳＣｉ上に負の壁電圧が蓄積され、維持電極ＳＵｉ上に正の壁電圧が蓄積される。
【００７０】
２回目の維持放電が収束した後、スイッチング素子Ｑ５１、Ｑ５４、Ｑ５５、Ｑ５６をオフにする。
【００７１】
（期間Ｔ１５）
時刻ｔ１５で電力回収部５１のスイッチング素子Ｑ５２をオンにする。すると、電圧Ｖｓ２の走査電極ＳＣ１〜ＳＣｎからインダクタＬ５１、ダイオードＤ５２、スイッチング素子Ｑ５２を通してコンデンサＣ５１へ電流が流れ始め、走査電極ＳＣ１〜ＳＣｎの電圧が下がり始める。そしてインダクタＬ５１と電極間容量Ｃｐとの共振周期の１／２の後には走査電極ＳＣ１〜ＳＣｎの電圧はほぼ電圧０（Ｖ）まで低下する。
【００７２】
（期間Ｔ１６）
時刻ｔ１６で維持電極駆動回路３４の電力回収部８１のスイッチング素子Ｑ８１をオンにする。すると、コンデンサＣ８１からスイッチング素子Ｑ８１、ダイオードＤ８１、インダクタＬ８１を通して維持電極ＳＵ１〜ＳＵｎへ電流が流れ始め、維持電極ＳＵ１〜ＳＵｎの電圧が上がり始める。
【００７３】
（期間Ｔ１７）
インダクタＬ８１と電極間容量Ｃｐとの共振周期の１／２の後には維持電極ＳＵ１〜ＳＵｎの電圧はほぼ電圧Ｖｓ２まで上昇する。しかし本実施の形態においては、共振周期の１／２以前に維持電極ＳＵ１〜ＳＵｎの電圧が電圧Ｖｓ１まで上昇した時刻ｔ１７において、電圧クランプ部８３のスイッチング素子Ｑ８４およびスイッチング素子Ｑ８５をオンにする。すると、維持電極ＳＵ１〜ＳＵｎの電圧は電圧Ｖｓ１にクランプされる。
【００７４】
維持電極ＳＵ１〜ＳＵｎが電圧Ｖｓ１にクランプされると、書込み放電を起こした放電セルでは１回目の維持放電が発生する。そして走査電極ＳＣｉ上および維持電極ＳＵｉ上の壁電圧の再配置が始まる。その後スイッチング素子Ｑ８５のみをオフにする。
【００７５】
（期間Ｔ１８）
１回目の維持放電が収束しはじめた時刻ｔ１８で電圧クランプ部８３のスイッチング素子Ｑ８６をオンにする。すると維持電極ＳＵ１〜ＳＵｎの電圧は電圧Ｖｓ２にクランプされる。すると、１回目の維持放電が発生した放電セルでは２回目の維持放電が発生する。そして維持電極ＳＵｉ上に負の壁電圧が蓄積され走査電極ＳＣｉ上に正の壁電圧が蓄積される。
【００７６】
２回目の維持放電が収束した後、スイッチング素子Ｑ８１、Ｑ８４、Ｑ８５、Ｑ８６をオフにする。
【００７７】
維持パルス発生部５０、維持パルス発生部８０は、以上の期間Ｔ１１〜Ｔ１８の動作を繰り返すことにより、走査電極ＳＣ１〜ＳＣｎ、維持電極ＳＵ１〜ＳＵｎに必要な数の維持パルスを印加する。
【００７８】
このように本実施の形態においては、維持電極ＳＵ１〜ＳＵｎを第４電圧である電圧０（Ｖ）にクランプするとともに、走査電極ＳＣ１〜ＳＣｎを第２電圧である電圧Ｖｓ１にクランプして１回目の維持放電を発生させた後に走査電極ＳＣ１〜ＳＣｎを第３電圧である電圧Ｖｓ２にクランプして２回目の維持放電を発生させて、連続した２回の維持放電を発生させる。また走査電極ＳＣ１〜ＳＣｎを第１電圧である電圧０（Ｖ）にクランプするとともに、維持電極ＳＵ１〜ＳＵｎを第５電圧である電圧Ｖｓ１にクランプして１回目の維持放電を発生させた後に維持電極ＳＵ１〜ＳＵｎを第６電圧である電圧Ｖｓ１にクランプして２回目の維持放電を発生させて、連続した２回の維持放電を発生させる。
【００７９】
このようにしてパネルを駆動することによって連続した２回の維持放電を安定して発生させることができる理由について、次に説明する。
【００８０】
連続した２回の維持放電を発生させるには、まず走査電極ＳＣ１〜ＳＣｎと維持電極ＳＵ１〜ＳＵｎとの間に放電開始電圧以上の電圧を印加して１回目の維持放電を発生させ、次に１回目の維持放電によるプライミングが多量に残存している間に走査電極ＳＣ１〜ＳＣｎと維持電極ＳＵ１〜ＳＵｎとの間の電圧を強めて２回目の維持放電を発生させればよい。
【００８１】
ここで１回目の維持放電および２回目の維持放電を点灯率に依存することなく安定して発生させるためには、放電電流の量に依存することなく安定した電圧が印加できるように、クランプ部を用いて電圧を印加しなければならない。具体的には、例えば期間Ｔ１２において、電力回収部５１を用いて走査電極ＳＣ１〜ＳＣｎの電圧の立ち上がりを行っている間に放電開始電圧を超えることになる。しかしこの間には維持放電を発生させず、期間Ｔ１３において、電圧クランプ部５３を用いて走査電極ＳＣ１〜ＳＣｎを電圧Ｖｓ１にクランプして第１の放電を発生させなければならない。またクランプした状態を保ちつつ期間Ｔ１４において走査電極ＳＣ１〜ＳＣｎの電圧を電圧Ｖｓ１から電圧Ｖｓ２に切り替えなければならない。
【００８２】
本実施の形態における走査電極駆動回路３３は、共振周期が短くなるようにインダクタＬ５１のインダクタンスを小さめに設定するとともに、共振周期の１／２以前の急峻な立ち上がりの最中に電圧クランプ部５３を用いて走査電極ＳＣ１〜ＳＣｎを電圧Ｖｓ１にクランプしている。これにより、電力回収部５１を用いた走査電極ＳＣ１〜ＳＣｎの電圧の立ち上がり中に放電開始電圧を超えた後、放電遅れ時間が経過する前に走査電極ＳＣ１〜ＳＣｎの電圧を電圧Ｖｓ１にクランプすることができる。また期間Ｔ１３において１回目の維持放電が発生している間にスイッチング素子Ｑ５５のみをオフにすることにより、走査電極ＳＣ１〜ＳＣｎの電圧をクランプした状態を保ちつつ、時刻ｔ１４において走査電極ＳＣ１〜ＳＣｎの電圧を電圧Ｖｓ１から電圧Ｖｓ２に切り替えることができる。維持電極駆動回路３４についても同様である。
【００８３】
また、連続した２回の維持放電だけを維持期間にわたって継続して発生させるために、さらに放電セルの放電特性の変化を考慮した駆動マージンを確保するために、２回目の維持放電を十分な壁電圧が蓄積できる強い放電としなければならない。そして２回目の維持放電をこのような強い放電とするためには、１回目の維持放電を少なくとも２回目の維持放電よりも弱い放電とすることが必要である。
【００８４】
本実施の形態においては上記の条件を満たすために、維持パルスの電圧Ｖｓ１および電圧Ｖｓ２を以下の手順により設定した。まず図９に示すように、電圧０（Ｖ）と電圧Ｖｓとを有し、単一の維持放電を発生する維持パルスを走査電極ＳＣ１〜ＳＣｎおよび維持電極ＳＵ１〜ＳＵｎに交互に印加する。そして電圧Ｖｓを徐々に低下させると、所定の電圧Ｖｓ０以下では、維持期間の最初の維持パルスでは維持放電が発生するが、その後の放電が弱まり、それ以上維持放電が継続しなくなる。この状態は、維持放電を継続させるだけの十分な壁電圧が蓄積できない弱い放電であることを示している。
【００８５】
本実施の形態においては、このような弱い放電を発生させる電圧Ｖｓ０を１回目の維持放電を発生させる電圧Ｖｓ１として設定した。そして２回目の維持放電を発生させる電圧Ｖｓ２は、電圧Ｖｓ１と比較して十分高い電圧、本実施の形態においては電圧Ｖｓ１の１．２倍以上の電圧となるように設定した。
【００８６】
さらに１回目の維持放電のプライミングを用いて２回目の維持放電を発生させることができるように、期間Ｔ１３および期間Ｔ１７の長さは、１回目の維持放電の長さと同程度に設定した。
【００８７】
本実施の形態によれば、このようにして１回目の維持放電および２回目の維持放電を点灯率に依存することなく安定して発生させ、かつ２回目の維持放電を十分な壁電圧が蓄積できる強い放電としている。
【００８８】
なお、本実施の形態において設定した維持パルスの電圧は、第１電圧と第４電圧とが等しく電圧０（Ｖ）であり、第２電圧と第５電圧とが等しく電圧Ｖｓ１＝１８０（Ｖ）であり、第３電圧と第６電圧とが等しく電圧Ｖｓ２＝２２０（Ｖ）である。またインダクタＬ５１と電極間容量Ｃｐとの共振周期およびインダクタＬ８１電極間容量Ｃｐとの共振周期は１２００ｎｓｅｃに設定されている。そして、期間Ｔ１１および期間Ｔ１５の長さ＝６００ｎｓｅｃ、期間Ｔ１２および期間Ｔ１６の長さ＝４００ｎｓｅｃ、期間Ｔ１３および期間Ｔ１７の長さ＝５００ｎｓｅｃ、期間Ｔ１４および期間Ｔ１８の長さ＝１０００ｎｓｅｃである。さらに本実施の形態において各電極に印加する駆動波形電圧の他の電圧値は、電圧Ｖｑ＝１５０（Ｖ）、電圧Ｖｒ＝２００（Ｖ）、電圧Ｖｉ＝−１３０（Ｖ）、電圧Ｖａ＝−１４０（Ｖ）、電圧Ｖｅ＝１３０（Ｖ）、電圧Ｖｄ＝６０（Ｖ）である。
【００８９】
本実施の形態においては、上述のように電圧Ｖｓ２と電圧Ｖｓ１との差を４０（Ｖ）、期間Ｔ１３および期間Ｔ１７の長さは５００ｎｓｅｃと設定したが、電圧Ｖｓ２と電圧Ｖｓ１との差は４０（Ｖ）〜１００（Ｖ）の間で、期間Ｔ１３および期間Ｔ１７の長さは５００ｎｓｅｃ〜８００ｎｓｅｃの間で設定することが望ましい。ただしこれらの電圧値および期間の長さは単に一例を挙げたに過ぎず、パネルの特性やプラズマディスプレイ装置３０の仕様等に合わせて、適宜最適な値に設定することが望ましい。
【００９０】
（実施の形態２）
図１０は、本発明の実施の形態２におけるプラズマディスプレイ装置の維持パルスの詳細を示す図であり、そのときの放電発光も示している。
【００９１】
実施の形態２が実施の形態１と異なる点は、連続した２回の維持放電を、走査電極ＳＣ１〜ＳＣｎの電圧を立ち下げて発生させ、また維持電極ＳＵ１〜ＳＵｎの電圧を立ち下げて発生させている点である。
【００９２】
ここでも、維持パルスの繰り返し周期の１周期分をＴ２１〜Ｔ２８で示した８つの期間に分割し、それぞれの期間について説明する。
【００９３】
（期間Ｔ２１）
時刻ｔ２１で走査電極駆動回路３３の電力回収部５１のスイッチング素子Ｑ５１をオンにする。すると、コンデンサＣ５１からスイッチング素子Ｑ５１、ダイオードＤ５１、インダクタＬ５１を通して走査電極ＳＣ１〜ＳＣｎへ電流が流れ始め、走査電極ＳＣ１〜ＳＣｎの電圧が上がり始める。そしてインダクタＬ５１と電極間容量Ｃｐとの共振周期の１／２の後には走査電極ＳＣ１〜ＳＣｎの電圧はほぼ電圧Ｖｓ２まで上昇する。
【００９４】
（期間Ｔ２２）
時刻ｔ２２で維持電極駆動回路３４の電力回収部８１のスイッチング素子Ｑ８２をオンにする。すると、電圧Ｖｓ２の維持電極ＳＵ１〜ＳＵｎからインダクタＬ８１、ダイオードＤ８２、スイッチング素子Ｑ８２を通してコンデンサＣ８１へ電流が流れ始め、維持電極ＳＵ１〜ＳＵｎの電圧が下がり始める。
【００９５】
（期間Ｔ２３）
インダクタＬ８１と電極間容量Ｃｐとの共振周期の１／２の後には維持電極ＳＵ１〜ＳＵｎの電圧はほぼ電圧０（Ｖ）まで低下する。しかし本実施の形態においては、共振周期の１／２以前に維持電極ＳＵ１〜ＳＵｎの電圧が電圧Ｖｓ１まで低下した時刻ｔ２３において、電圧クランプ部８３のスイッチング素子Ｑ８４およびスイッチング素子Ｑ８５をオンにする。すると、維持電極ＳＵ１〜ＳＵｎの電圧は電圧Ｖｓ１にクランプされる。
【００９６】
維持電極ＳＵ１〜ＳＵｎが電圧Ｖｓ１にクランプされると、書込み放電を起こした放電セルでは１回目の維持放電が発生する。そして走査電極ＳＣｉ上および維持電極ＳＵｉ上の壁電圧の再配置が始まる。その後スイッチング素子Ｑ８４のみをオフにする。
【００９７】
（期間Ｔ２４）
１回目の維持放電が収束しはじめた時刻ｔ２４で電圧クランプ部８３のスイッチング素子Ｑ８３をオンにする。すると維持電極ＳＵ１〜ＳＵｎの電圧は電圧０（Ｖ）にクランプされる。すると、１回目の維持放電が発生した放電セルでは２回目の維持放電が発生する。そして走査電極ＳＣｉ上に負の壁電圧が蓄積され、維持電極ＳＵｉ上に正の壁電圧が蓄積される。
【００９８】
２回目の維持放電が収束した後、スイッチング素子Ｑ８２、Ｑ８３、Ｑ８４、Ｑ８５をオフにする。
【００９９】
（期間Ｔ２５）
時刻ｔ２５で電力回収部８１のスイッチング素子Ｑ８１をオンにする。すると、コンデンサＣ８１からスイッチング素子Ｑ８１、ダイオードＤ８１、インダクタＬ８１を通して維持電極ＳＵ１〜ＳＵｎへ電流が流れ始め、維持電極ＳＵ１〜ＳＵｎの電圧が上がり始める。そしてインダクタＬ８１と電極間容量Ｃｐとの共振周期の１／２の後には維持電極ＳＵ１〜ＳＵｎの電圧はほぼ電圧Ｖｓ２まで上昇する。
【０１００】
（期間Ｔ２６）
時刻ｔ２６で走査電極側の電力回収部５１のスイッチング素子Ｑ５２をオンにする。すると、走査電極ＳＣ１〜ＳＣｎからインダクタＬ５１、ダイオードＤ５２、スイッチング素子Ｑ５２を通してコンデンサＣ５１へ電流が流れ始め、走査電極ＳＣ１〜ＳＣｎの電圧が下がり始める。
【０１０１】
（期間Ｔ２７）
インダクタＬ５１と電極間容量Ｃｐとの共振周期の１／２の後には走査電極ＳＣ１〜ＳＣｎの電圧はほぼ電圧０（Ｖ）まで降下する。しかし本実施の形態においては、共振周期の１／２以前に走査電極ＳＣ１〜ＳＣｎの電圧が電圧Ｖｓ１まで降下した時刻ｔ２７において、スイッチング素子Ｑ５４およびスイッチング素子Ｑ５５をオンにする。すると、走査電極ＳＣ１〜ＳＣｎの電圧は電圧Ｖｓ１にクランプされる。
【０１０２】
走査電極ＳＣ１〜ＳＣｎが電圧Ｖｓ１にクランプされると、書込み放電を起こした放電セルでは１回目の維持放電が発生する。その後スイッチング素子Ｑ５４のみをオフにする。
【０１０３】
（期間Ｔ２８）
１回目の維持放電が収束しはじめた時刻ｔ２８でスイッチング素子Ｑ５３をオンにする。すると走査電極ＳＣ１〜ＳＣｎの電圧は電圧０（Ｖ）にクランプされる。すると、１回目の維持放電が発生した放電セルでは２回目の維持放電が発生する。
【０１０４】
２回目の維持放電が収束した後、スイッチング素子Ｑ５２、Ｑ５３、Ｑ５４、Ｑ５５をオフにする。
【０１０５】
以上の期間Ｔ２１〜Ｔ２８の動作を繰り返すことにより、本実施の形態における維持パルス発生部５０、８０は走査電極ＳＣ１〜ＳＣｎ、維持電極ＳＵ１〜ＳＵｎに必要な数の維持パルスを印加する。
【０１０６】
このように実施の形態２においては、維持電極ＳＵ１〜ＳＵｎを第６電圧である電圧Ｖｓ２にクランプするとともに、走査電極ＳＣ１〜ＳＣｎを第２電圧である電圧Ｖｓ１にクランプして１回目の維持放電を発生させた後に走査電極ＳＣ１〜ＳＣｎを第１電圧である電圧０（Ｖ）にクランプして２回目の維持放電を発生させて連続した２回の維持放電を発生させ、走査電極ＳＣ１〜ＳＣｎを第３電圧である電圧Ｖｓ２にクランプするとともに、維持電極ＳＵ１〜ＳＵｎを第５電圧である電圧Ｖｓ１にクランプして１回目の維持放電を発生させた後に維持電極ＳＵ１〜ＳＵｎを第４電圧である電圧０（Ｖ）にクランプして２回目の維持放電を発生させて連続した２回の維持放電を発生させている。
【０１０７】
このようにしてパネルを駆動することによっても、連続した２回の維持放電を安定して発生させることができる。
【０１０８】
ただし、実施の形態２において設定した維持パルスの電圧は、電圧Ｖｓ１＝４０（Ｖ）、電圧Ｖｓ２＝２２０（Ｖ）である。またインダクタＬ５１と電極間容量Ｃｐとの共振周期およびインダクタＬ８１電極間容量Ｃｐとの共振周期は１２００ｎｓｅｃに設定されている。そして、期間Ｔ２１および期間Ｔ２５の長さ＝６００ｎｓｅｃ、期間Ｔ２２および期間Ｔ２６の長さ＝４００ｎｓｅｃ、期間Ｔ２３および期間Ｔ２７の長さ＝５００ｎｓｅｃ、期間Ｔ２４および期間Ｔ２８の長さ＝１０００ｎｓｅｃである。さらに本実施の形態において各電極に印加する駆動波形電圧の他の電圧値は、実施の形態１と同じである。
【０１０９】
実施の形態２においては、上述のように電圧Ｖｓ１を４０（Ｖ）、期間Ｔ２３および期間Ｔ２７の長さを５００ｎｓｅｃと設定したが、電圧Ｖｓ１は４０（Ｖ）〜１００（Ｖ）の間で、期間Ｔ２３および期間Ｔ２７の長さは５００ｎｓｅｃ〜８００ｎｓｅｃの間で設定することが望ましい。
【０１１０】
なお、実施の形態１、２に用いた電圧値、期間の長さ、および他の数値も単に一例を挙げたに過ぎず、パネルの特性やプラズマディスプレイ装置３０の仕様等に合わせて、適宜最適な値に設定することが望ましい。
【産業上の利用可能性】
【０１１１】
本発明によれば、連続した２回の維持放電を安定して、かつ継続して発生させることができ、プラズマディスプレイ装置として有用である。
【符号の説明】
【０１１２】
１０    パネル
１２    走査電極
１３    維持電極
１４    表示電極対
２２    データ電極
３０    プラズマディスプレイ装置
３１    画像信号処理回路
３２    データ電極駆動回路
３３    走査電極駆動回路
３４    維持電極駆動回路
３５    タイミング発生回路
５０，８０    維持パルス発生部
５１，８１    電力回収部
５３，８３    電圧クランプ部
６０    ランプ電圧発生部
６１，６２    ミラー積分回路
７０    走査パルス発生部
９０    電圧印加部
【図１】
2012022017.tif 000003
【図２】
2012022017.tif 000004
【図３】
2012022017.tif 000005
【図４】
2012022017.tif 000006
【図５】
2012022017.tif 000007
【図６】
2012022017.tif 000008
【図７】
2012022017.tif 000009
【図８】
2012022017.tif 000010
【図９】
2012022017.tif 000011
【図１０】
2012022017.tif 000012